(57)【要約】      （修正有）【課題】表示パネル全体として所望の反射率を得ることが可能な色変換処理装置、及び、これを用いた表示装置を提供する。【解決手段】色変換処理装置３０は、入力ＲＧＢ値Ｓ１から出力ＲＧＢ値Ｓ２を算出する出力ＲＧＢ値算出部３２１と、入力ＲＧＢ値Ｓ１（または出力ＲＧＢ値Ｓ２）から基本Ｗ値Ｓ３を算出する基本Ｗ値算出部３２２と、出力ＲＧＢ値Ｓ２とＷ補正値Ｓ４とが関連付けられた少なくともひとつの補正テーブルＴＢＬを格納する補正テーブル格納部３２４と、補正テーブルＴＢＬを参照して出力ＲＧＢ値Ｓ２に応じたＷ補正値Ｓ４を算出するＷ補正値算出部３２３と、基本Ｗ値Ｓ３とＷ補正値Ｓ４から出力Ｗ値Ｓ５を算出する出力Ｗ値算出部３２５とを有する。【選択図】図９
2011186201.tif 000002
【特許請求の範囲】
【請求項１】
入力ＲＧＢ値から出力ＲＧＢ値を算出する出力ＲＧＢ値算出部と；
前記入力ＲＧＢ値または前記出力ＲＧＢ値から基本Ｗ値を算出する基本Ｗ値算出部と；
前記出力ＲＧＢ値とＷ補正値とが関連付けられた少なくともひとつの補正テーブルを格納する補正テーブル格納部と；
前記補正テーブルを参照して前記出力ＲＧＢ値に応じた前記Ｗ補正値を算出するＷ補正値算出部と；
前記基本Ｗ値と前記Ｗ補正値から出力Ｗ値を算出する出力Ｗ値算出部と；
を有することを特徴とする色変換処理装置。
【請求項２】
前記補正テーブルでは、前記出力ＲＧＢ値として取り得る全ての組み合わせに対して前記Ｗ補正値が一対一で関連付けられていることを特徴とする請求項１に記載の色変換処理装置。
【請求項３】
前記補正テーブル格納部に複数格納されている前記補正テーブルのいずれか一を選択して前記Ｗ補正値算出部に出力する補正テーブル選択部を有することを特徴とする請求項２に記載の色変換処理装置。
【請求項４】
入力画像データを読み出し、これに含まれる前記入力ＲＧＢ値を出力する画像データ入力部と；
前記出力ＲＧＢ値算出部、前記基本Ｗ値算出部、前記補正テーブル格納部、前記Ｗ補正値算出部、及び、前記出力Ｗ値算出部を含み、前記入力ＲＧＢ値から前記出力ＲＧＢ値及び前記出力Ｗ値を算出して出力する出力データ作成部と；
前記出力ＲＧＢ値及び前記出力Ｗ値を含む出力画像データを生成し、これを出力する画像データ出力部と；
を有することを特徴とする請求項１〜請求項３のいずれかに記載の色変換処理装置。
【請求項５】
１ピクセルが少なくともＲサブピクセル、Ｇサブピクセル、Ｂサブピクセル、及び、Ｗサブピクセルの４サブピクセルで形成された表示パネルと；
前記表示パネルを駆動するための画像データとして、前記入力画像データから前記出力画像データを生成する請求項４に記載の色変換処理装置と；
を有することを特徴とする表示装置。
【請求項６】
前記表示パネルは、前記Ｒサブピクセル、前記Ｇサブピクセル、及び、前記Ｂサブピクセルに対して、各々の周辺領域を覆わないようにカラーフィルタを有することを特徴とする請求項５に記載の表示装置。
【請求項７】
前記表示パネルは、外光を利用して画像の表示を行う反射型表示パネルであり、
前記Ｗ補正値は、前記Ｒサブピクセル、前記Ｇサブピクセル、及び、前記Ｂサブピクセルを駆動した際に生じる各々の隣接サブピクセルでの損失反射率を前記Ｗサブピクセルのみによって補填するための前記出力Ｗ値に相当することを特徴とする請求項６に記載の表示装置。
【請求項８】
前記表示パネルは、エレクトロデポジション方式のメモリー性反射型表示パネルであることを特徴とする請求項７に記載の表示装置。
【請求項９】
前記表示パネルは、前記Ｒサブピクセル、前記Ｇサブピクセル、前記Ｂサブピクセル、及び、前記Ｗサブピクセルの周囲に、駆動対象とされていないＮサブピクセルを有することを特徴とする請求項５〜請求項８のいずれかに記載の表示装置。
【請求項１０】
演算処理装置に読み込まれて実行され、前記演算処理装置を請求項１〜請求項４のいずれかに記載の色変換処理装置として機能させることを特徴とする色変換処理プログラム。
【発明の詳細な説明】
【技術分野】
【０００１】
本発明は、ＲＧＢデータをＲＧＢＷデータに変換する色変換処理装置、及び、これを用いた表示装置（電子情報の表示端末装置）に関するものである。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手し、電子情報を閲覧する機会が益々増大している。
【０００３】
このような電子情報の閲覧手段として、従来の透過型液晶ディスプレイやＣＲＴ［Cathode Ray Tube］、また近年では、有機ＥＬ［electroluminescence］ディスプレイ等の発光型ディスプレイが主として用いられているが、特に、電子情報がドキュメント情報の場合、閲覧者は比較的長時間にわたってこの閲覧手段を注視する必要がある。一般に発光型ディスプレイの欠点として、フリッカーで目が疲労する、持ち運びに不便、読む姿勢が制限され、静止画面に視線を合わせる必要が生じる、長時間閲覧すると消費電力が嵩む等が知られており、上記のように比較的長時間にわたって閲覧手段を注視する行為は閲覧者にとって優しいとは言い難い。
【０００４】
上記の発光型ディスプレイが有している欠点を解消することができるディスプレイとして、外光を利用し、電力を消費せずに像情報を保持することができるメモリー性反射型ディスプレイが知られているが、メモリー性反射型ディスプレイは下記の理由で十分な性能を有しているとは言い難い。
【０００５】
反射型液晶ディスプレイ等の偏光板を用いる方式のメモリー性反射型ディスプレイは、反射率が約４０％と低くため白表示に難があり、また、構成部材の作成に用いる製法の多くが簡便とは言い難い。
【０００６】
ポリマー分散型液晶を用いる方式のメモリー性反射型ディスプレイは、高い駆動電圧を必要とし、また、有機物同士の屈折率差を利用しているため、得られる画像のコントラストが十分でない。
【０００７】
ポリマーネットワーク型液晶を用いる方式のメモリー性反射型ディスプレイは、高い駆動電圧が必要であること、メモリー性を向上させるために複雑なＴＦＴ［Thin Film Transistor］回路が必要であること等の課題を抱えている。
【０００８】
電気泳動方式のメモリー性反射型ディスプレイは、１０Ｖ以上の高い駆動電圧を必要とし、また、電気泳動性粒子の凝集による画質劣化が起こりやすい。電気泳動性粒子を一定量で小分けする隔壁構造にすることで凝集を低減できるが、そのようにするとセル構造や製造プロセスが複雑になるため安定した製造が難しい。
【０００９】
上述した各方式のメモリー性反射型ディスプレイの欠点を解消するものとして、金属又は金属塩の溶解及び析出を利用するエレクトロデポジション（以下、ＥＤ［electrodeposition］という）方式のメモリー性反射型ディスプレイが知られている。ＥＤ方式のメモリー性反射型ディスプレイは、（i）３Ｖ以下の低電圧で駆動が可能である、（ii）セル構造が簡便である、（iii）表示品位が優れている（明るいペーパーライクな白表示と引き締まった黒表示）、という特長を有している。
【先行技術文献】
【特許文献】
【００１０】
【特許文献１】特開２００６−２６７５４１号公報
【発明の概要】
【発明が解決しようとする課題】
【００１１】
なお、上述したＥＤ方式のメモリー性反射型ディスプレイを容易にカラー化するための技術としては、白黒表示パネルの前面にカラーフィルタを設ける方法がある。例えば、画像データの１ピクセルを３つのサブピクセルで形成するようにし、各サブピクセル毎に赤色（Ｒ）、緑色（Ｇ）、青色（Ｂ）のカラーフィルタを設けておけば、光の三原色の組み合せ（加法混色）により、１ピクセル毎の表示色を任意に表現することができる。
【００１２】
ただし、上記のカラー化技術では、白黒表示パネルの前面にカラーフィルタを設ける必要があるため、外光の反射率を低下させることになるが、反射型ディスプレイでは、発光型ディスプレイと異なり、自ら発光輝度を上げるような対策は取り得ない。
【００１３】
そこで、特に反射型ディスプレイの分野では、カラーフィルタの設置によって低下する外光の反射率を補うための手段として、カラーフィルタで覆われない白色（Ｗ）のサブピクセルを用意しておき、画像データの１ピクセルを４つのサブピクセル（ＲＧＢＷ）で形成する構成が採用されていた。この場合、入力される画像データ（ＲＧＢデータ）に応じて、ＲＧＢサブピクセルの出力だけではなく、Ｗサブピクセルの出力も制御する必要があるため、入力される画像データ（ＲＧＢデータ）をパネル駆動用の画像データ（ＲＧＢＷデータ）に変換して出力する必要があった（図１７を参照）。
【００１４】
ところで、上記のカラー化が施された反射型ディスプレイにおいて、図１８に示すように、ＲＧＢサブピクセルに対して各々の全面を覆うようにカラーフィルタＣＦが設けられていた構成では、カラーフィルタＣＦの解像度よりも表示素子の解像度が低い場合（例えば、図１９に示すように、ＥＤ方式のメモリー性反射型ディスプレイにおいて、ひとつのサブピクセルの上部電極１３Ｒに析出する金属又は金属塩Ｍがこれと隣接するサブピクセルの上部電極１３Ｗ及び１３Ｇにも一部析出してしまう場合）、ひとつのサブピクセルを駆動した際にこれと隣接するサブピクセルの反射率にも影響が及んでしまう。そのため、表示パネル全体として意図した反射率を得ることができなくなる上、ＲＧＢサブピクセルの各々で適切な階調出力を行うことができなくなり、最終的な出力画像の色ずれを生じるという問題があった。なお、このような色ずれを解消するためには、事前に適切なカラーマッチング処理を行う必要があるが、そのためには、ＲＧＢデータからＲＧＢＷデータを生成する色変換処理が非常に複雑となり、処理時間も増大してしまう。
【００１５】
また、図２０に示すように、ＲＧＢサブピクセルに対して各々の周辺領域（隣接するサブピクセルの駆動によって影響を受ける領域）を覆わないようにカラーフィルタＣＦを設けた構成であれば、少なくとも上記の色ずれは生じなくなるので、複雑なカラーマッチング処理は不要となる（図２１を参照）。しかしながら、このような構成を採用した場合であっても、ひとつのサブピクセルを駆動した際に、これと隣接するサブピクセルの反射率に影響が及ぶことには変わりがなく、表示パネル全体として意図した反射率を得ることができないという問題については、依然として解消されていなかった。
【００１６】
なお、従来より、液晶表示パネルでは、カラーフィルタの施されていない領域を黒く覆うブラックマトリクスを用いて、隣接するサブピクセル間の混色やバックライトの光漏れを防いでいた（例えば、特許文献１を参照）。しかしながら、電子ペーパーとしての利用に供されるＥＤ方式のメモリー性反射型ディスプレイでは、表示画面の白さが重要視されるため、ブラックマトリクスの使用は不適当であった。
【００１７】
本発明は、上記の問題点に鑑み、表示パネル全体として所望の反射率を得ることが可能な色変換処理装置、及び、これを用いた表示装置を提供することを目的とする。
【課題を解決するための手段】
【００１８】
上記目的を達成するために、本発明に係る色変換処理装置は、入力ＲＧＢ値から出力ＲＧＢ値を算出する出力ＲＧＢ値算出部と；前記入力ＲＧＢ値または前記出力ＲＧＢ値から基本Ｗ値を算出する基本Ｗ値算出部と；前記出力ＲＧＢ値とＷ補正値とが関連付けられた少なくともひとつの補正テーブルを格納する補正テーブル格納部と；前記補正テーブルを参照して前記出力ＲＧＢ値に応じた前記Ｗ補正値を算出するＷ補正値算出部と；前記基本Ｗ値と前記Ｗ補正値から出力Ｗ値を算出する出力Ｗ値算出部と；を有する構成（第１の構成）とされている。
【００１９】
なお、上記第１の構成から成る色変換処理装置において、前記補正テーブルでは、前記出力ＲＧＢ値として取り得る全ての組み合わせに対して前記Ｗ補正値が一対一で関連付けられている構成（第２の構成）にするとよい。
【００２０】
また、上記第２の構成から成る色変換処理装置は、前記補正テーブル格納部に複数格納されている前記補正テーブルのいずれか一を選択して前記Ｗ補正値算出部に出力する補正テーブル選択部を有する構成（第３の構成）にするとよい。
【００２１】
また、上記第１〜第３いずれかの構成から成る色変換処理装置は、入力画像データを読み出し、これに含まれる前記入力ＲＧＢ値を出力する画像データ入力部と；前記出力ＲＧＢ値算出部、前記基本Ｗ値算出部、前記補正テーブル格納部、前記Ｗ補正値算出部、及び前記出力Ｗ値算出部を含み、前記入力ＲＧＢ値から前記出力ＲＧＢ値及び前記出力Ｗ値を算出して出力する出力データ作成部と；前記出力ＲＧＢ値及び前記出力Ｗ値を含む出力画像データを生成し、これを出力する画像データ出力部と；を有する構成（第４の構成）にするとよい。
【００２２】
また、本発明に係る表示装置は、１ピクセルが少なくともＲサブピクセル、Ｇサブピクセル、Ｂサブピクセル、及び、Ｗサブピクセルの４サブピクセルで形成された表示パネルと；前記表示パネルを駆動するための画像データとして、前記入力画像データから前記出力画像データを生成する上記第４の構成から成る色変換処理装置と；を有する構成（第５の構成）とされている。
【００２３】
なお、上記第５の構成から成る表示装置において、前記表示パネルは、前記Ｒサブピクセル、前記Ｇサブピクセル、及び、前記Ｂサブピクセルに対して、各々の周辺領域を覆わないようにカラーフィルタを有する構成（第６の構成）にするとよい。
【００２４】
また、上記第６の構成から成る表示装置において、前記表示パネルは、外光を利用して画像の表示を行う反射型表示パネルであり、前記Ｗ補正値は、前記Ｒサブピクセル、前記Ｇサブピクセル、及び、前記Ｂサブピクセルを駆動した際に生じる各々の隣接サブピクセルでの損失反射率を前記Ｗサブピクセルのみによって補填するための前記出力Ｗ値に相当する構成（第７の構成）にするとよい。
【００２５】
また、上記第７の構成から成る表示装置において、前記表示パネルは、エレクトロデポジション方式のメモリー性反射型表示パネルである構成（第８の構成）にするとよい。
【００２６】
また、上記第５〜第８いずれかの構成から成る表示装置において、前記表示パネルは、前記Ｒサブピクセル、前記Ｇサブピクセル、前記Ｂサブピクセル、及び、前記Ｗサブピクセルの周囲に、駆動対象とされていないＮサブピクセルを有する構成（第９の構成）にするとよい。
【００２７】
また、本発明に係る色変換処理プログラムは、演算処理装置に読み込まれて実行され、前記演算処理装置を上記第１〜第４いずれかの構成から成る色変換処理装置として機能させる構成（第１０の構成）とされている。
【発明の効果】
【００２８】
本発明によれば、反射型ディスプレイ用のカラー画像データをＲＧＢ構成からＲＧＢＷ構成に変換するに際して、ひとつのサブピクセル駆動時に生じる隣接サブピクセルへの影響分（意図しない反射率低下分）を補填する形で出力Ｗ値を算出することにより、表示パネル全体として所望の反射率を得ることが可能な色変換処理装置、及び、これを用いた表示装置を提供することができる。また、出力Ｗ値を算出する際に参照される補正テーブルにカラーマッチング要素が含まれていないので、より単純に目的を達成することができる。
【図面の簡単な説明】
【００２９】
【図１Ａ】ＥＤ表示素子の基本構成を示す模式図（黒状態）
【図１Ｂ】ＥＤ表示素子の基本構成を示す模式図（白状態）
【図２】ＥＤ表示素子に一定電圧のパルスを印加した場合における典型的な濃度変化と電流波形を示す波形図
【図３】アクティブマトリクス駆動方式を採用したＥＤ表示装置の一構成例を示す等価回路図
【図４】ＥＤ表示装置の駆動方法を説明するためのタイミングチャート
【図５】ＥＤ表示装置のシステム構成図
【図６】ひとつの表示パネルに対してゲートドライバ及びソースドライバを複数個ずつ設けた場合のブロック図
【図７】ＥＤ表示装置の外観図
【図８】表示パネルをカラー化（ＲＧＢＷ化）した場合の模式図
【図９】色変換処理装置の一構成例を示すブロック図
【図１０】色変換処理の一例を示すフローチャート
【図１１】補正テーブルの内容を説明するための一覧表
【図１２】Ｗ補正値の内容を説明するための模式図
【図１３】画像データ取得処理の一例を示すフローチャート
【図１４】表示パネルの第１変形レイアウトを示す模式図
【図１５】表示パネルの第２変形レイアウトを示す模式図
【図１６】色変換処理装置の一変形例を示すブロック図
【図１７】ＲＧＢデータからＲＧＢＷデータへの色変換処理を示すブロック図
【図１８】表示パネルの第１レイアウトを示す模式図
【図１９】第１レイアウトを採用した場合の問題点を示す模式図
【図２０】表示パネルの第２レイアウトを示す模式図
【図２１】第２レイアウトを採用した場合の問題点を示す模式図
【発明を実施するための形態】
【００３０】
ここでは、本発明の適用対象として、ＥＤ方式のメモリー性反射型ディスプレイ（以下では、ＥＤ表示装置と略称する）に搭載される色変換処理装置を例示し、図面を参照しながら詳細な説明を行う。本発明に係るＥＤ表示装置は、金属又は金属塩の溶解及び析出を利用するＥＤ方式の表示素子（以下では、ＥＤ表示素子と略称する）を複数マトリクス状に備えている。
【００３１】
＜ＥＤ表示素子の基本構成について＞
図１Ａ及び図１Ｂは、いずれも、ＥＤ表示素子の基本構成を示す模式図である。なお、図１Ａでは、ＥＤ表示素子１０を黒状態とした様子が描写されており、図１Ｂでは、ＥＤ表示素子１０を白状態とした様子が描写されている。
【００３２】
図１Ａ及び図１Ｂに示したＥＤ表示素子１０は、上部基板１１と、下部基板１２と、上部基板１１上に形成された上部電極１３と、下部基板１２上に上部電極１３と対向する形で形成された下部電極１４と、上部電極１３と下部電極１４との間に挟み込まれた電解液１５と、を有している。電解液１５は、金属または金属を化学構造中に含む化合物と、白色顔料と、溶媒と、を有している。
【００３３】
＜銀又は銀を化学構造中に含む化合物について＞
なお、高コントラスト化の観点から、電解液１５に含まれる金属または金属を化学構造中に含む化合物としては、銀又は銀を化学構造中に含む化合物が好適である。銀又は銀を化学構造中に含む化合物とは、例えば、酸化銀、硫化銀、金属銀、銀コロイド粒子、ハロゲン化銀、銀錯体化合物、銀イオン等の化合物の総称であり、固体状態や液体への可溶化状態や気体状態などの相の状態種、中性、アニオン性、カチオン性等の荷電状態種は、特に問わない。
【００３４】
＜上部電極及び下部電極について＞
観察面側となる上部電極１３は、透明な電極で構成され、ＩＴＯ［Indium Tin Oxide］やＩＺＯ［Indium Zinc Oxide］など、一般的なディスプレイなどに用いられるような透明電極であれば、いずれでも使用することができる。下部電極１４は、化学的に安定な電極で構成され、Ａｕ、Ａｇ、Ｃｕ、Ｐｔ、Ｐｄ、Ｆｅ、Ｎｉ、カーボン、Ｃｒ、Ａｌ、Ｍｏなどや、これらの積層膜あるいは合金などを用いることができる。なお、これらの電極のパターン形成方法としては、（i）基板上にスパッタ法や真空蒸着法などで電極材料を成膜した後、フォトリソグラフィ法によって電極パターンを形成する方法、（ii）金属ナノ粒子を分散したインクを基板に塗布して成膜し、その後フォトリソグラフィ法により電極パターンを形成する方法、及び、（iii）スクリーン印刷やフレキソ印刷やインクジェット印刷などでダイレクトに基板上に電極をパターニングする方法、などがある。
【００３５】
＜ＥＤ表示素子の駆動原理について＞
【００３６】
図１Ａに示すように、下部電極１４の電位を基準電位として、上部電極１３に書込閾値以上のマイナス電圧を印加すると、上部電極１３から電解液１５に電子が注入され、金属又は金属を化学構造中に含む化合物が上部電極１３上に析出する。この状態を観察側から見ると、析出金属又は析出金属塩による黒色が観察される。
【００３７】
一方、図１Ｂに示すように、下部電極１４の電位を基準電位として、上部電極１３に消去閾値以上のプラス電圧を印加すると、上部電極１３上に析出していた金属又は析出金属塩が酸化によりイオン化されて電解液１５中に溶出するため、析出金属又は析出金属塩による黒色が消失する。この状態を観察側から見ると、白色顔料による白色が観察される。
【００３８】
上述のように、上部電極１３と下部電極１４との間に印加する電圧の極性を切り替えることで、白色と黒色の表示を可逆的に切り替えることができる。また、白黒の濃度制御については、析出金属又は析出金属塩の析出量を調整することで実現することができる。このような白黒の濃度制御方式としては、上部電極１３と下部電極１４との間に印加する電圧の大きさを変化させる方式や、一定電圧の印加時間を変化させる方式が考えられる。
【００３９】
＜ＥＤ表示素子の濃度特性、電流特性について＞
図２は、ＥＤ表示素子に一定電圧値のパルスＶを印加した場合における典型的な濃度変化と電流波形を示す波形図である。本図に示す通り、濃度ＯＤはパルスＶの印加時間ｔに応じて高くなっていき、電流ＩはパルスＶの印加直後にピークを持つような波形となる。また、濃度ＯＤは、パルスＶの印加終了時点での濃度に維持されるので、パルスＶの印加時間を制御することにより、白表示と黒表示だけでなく、その中間調表示（階調度制御）を行うことができる。
【００４０】
＜アクティブマトリクス駆動方式を採用したＥＤ表示装置について＞
ＥＤ表示装置を構成する場合には、ＥＤ表示素子の駆動方式として、アクティブマトリクス駆動方式を採用することができる。図３は、アクティブマトリクス駆動方式を採用したＥＤ表示装置の一構成例を示す等価回路図である。
【００４１】
本構成例のＥＤ表示装置２０は、ｘ本のゲート線Ｇ１〜Ｇｘを駆動するゲートドライバ２１と、ｙ本のソース線Ｓ１〜Ｓｙを駆動するソースドライバ２２と、表示パネル２３とを有する。表示パネル２３は、ｘ行×ｙ列のマトリクス状に形成されたセル２３１と、電源電圧ＶＤＤが印加される電源電圧線２３２と、コモン電圧ＶＣＯＭが印加されるコモン電圧線２３３と、を有する。
【００４２】
表示パネル２３を形成する複数のセル２３１は、いずれも同一構成から成り、選択用トランジスタＴｒ１と、駆動用トランジスタＴｒ２と、ＥＤ表示素子１０と、補助容量Ｃ１及びＣ２とを有する。なお、表示パネル２３が白黒パネルである場合には、画像データの１ピクセルとして、各々のセル２３１を制御すればよい。一方、表示パネル２３がカラーパネルである場合には、画像データの１ピクセルを形成するサブピクセル（例えば、ＲＧＢＷサブピクセル）の一つとして、各々のセル２３１を制御すればよい（図８を参照）。
【００４３】
選択用トランジスタＴｒ１の第１端子（ドレインまたはソース）は、ソース線Ｓ１〜Ｓｙのいずれか一に接続されている。選択用トランジスタＴｒ１の第２端子（ソースまたはドレイン）は、駆動用トランジスタＴｒ２の制御端子（ゲート）に接続されている。選択用トランジスタＴｒ１の制御端子（ゲート）は、ゲート線Ｇ１〜Ｇｘのいずれか一に接続されている。駆動用トランジスタＴｒ２の第１端子（ドレインまたはソース）は、電源電圧線２３２に接続されている。駆動用トランジスタＴｒ２の第２端子（ソースまたはドレイン）はＥＤ表示素子１０の下部電極１４（図１を合わせて参照）に接続されている。ＥＤ表示素子１０の上部電極１３（図１を合わせて参照）は、コモン電圧線２３３に接続されている。このコモン電圧線２３３は、表示パネル２３の観察面側に敷設する必要があるため、ＩＴＯやＩＺＯなどの透過性導電素材を用いて形成すればよい。また、駆動用トランジスタＴｒ２の第１端子と制御端子との間、及び、第２端子と制御端子との間には、それぞれ、補助容量Ｃ１及びＣ２が接続されている。
【００４４】
また、本構成例のＥＤ表示装置２０では、選択用トランジスタＴｒ１と駆動用トランジスタＴｒ２として、いずれもＮチャネル型のＴＦＴ［Thin Film Transistor］を用いている。このＮチャネルのＴＦＴについては、ａ−Ｓｉ（アモルファスシリコン）で作成したものを利用してもよいし、Ｃ６０などの有機半導体で作成したものを利用してもよい。本構成例のＥＤ表示装置２０を製造する際には、ＬＣＤ［Liquid Crystal Display］の製造プロセスを利用することができる。
【００４５】
また、金属又は金属塩の溶解及び析出を利用するためには、ＥＤ表示素子１０に電流を流す必要があるため、本構成例のＥＤ表示装置２０で示したように、選択用トランジスタＴｒ１と駆動用トランジスタＴｒ２を用いる２トランジスタ方式を採用することが望ましい。この２トランジスタ方式は、アクティブマトリクス方式を採用した有機ＥＬ表示装置でも一般的に使われている技術である。
【００４６】
＜ＥＤ表示装置の駆動方法＞
図４は、ＥＤ表示装置２０の駆動方法を説明するためのタイミングチャートであり、上から順に、ゲート線Ｇ１〜Ｇｘに印加される電圧信号（以下では、適宜、ゲート信号Ｇ１〜Ｇｘと呼ぶ）、ソース線Ｓ１に印加される電圧信号（以下では、適宜、ソース信号Ｓ１と呼ぶ）、コモン電圧ＶＣＯＭ、及び、第１列目のＥＤ表示素子１０に各々印加される電圧ＥＤ＜ｋ，１＞（ただしｋ＝１、２、…、ｘ、以下同様）が描写されている。なお、電圧ＥＤ＜ｋ，１＞は、下部電極１４を基準とした上部電極１３の電圧（＝ＶＣＯＭ−ＶＤＤ）を示している。
【００４７】
このように、図４では、説明を簡単とするために、列方向については、第１列目のＥＤ表示素子１０のみに着目した描写を行ったが、第２列目〜第ｙ列目についても、第１列目と基本的に同様の駆動制御が行われることは言うまでもない。
【００４８】
また、ひとつのＥＤ表示素子１０は、ｍフレームで白から黒への変化が起こるものとする。ここでいう「フレーム」とは、ＥＤ表示素子１０に対して黒描画用のパルス電圧を印加する単位期間を指しており、具体的には、ゲート信号Ｇ１〜Ｇｘの各々について、ひとつの立上がりエッジが生じてから次の立上がりエッジが生じるまでの一定期間（走査期間）がひとつのフレームに相当する。従って、異なるゲート線に接続されているＥＤ表示素子１０同士を比べると、各々のフレーム開始タイミング及びフレーム終了タイミングは、各々が接続されているゲート線の走査間隔分だけずれることになる。例えば、図４中の符号Ｔ１〜Ｔｍは、それぞれ、第１行目のＥＤ表示素子１０に着目した場合のフレームを表している。
【００４９】
図４の駆動シーケンスは、表示パネル２３の全面を白色にリセットする全面白描画期間Ｔｗ（時刻ｔ１１〜ｔ１２）と、表示パネル２３に任意の画像を表示する黒描画期間Ｔｂ（時刻ｔ１３〜ｔ１９）から成る。
【００５０】
全面白描画期間Ｔｗでは、まず、ゲート信号Ｇ１〜Ｇｘが所定の期間ずつ順次ハイレベルに立ち上げられる。なお、ゲート信号Ｇｋのハイレベル期間中は、第ｋ行目の選択用トランジスタＴｒ１がいずれもオン状態とされる。
【００５１】
また、全面白描画期間Ｔｗでは、ゲート信号Ｇ１〜Ｇｘの順次走査中、ソース信号Ｓ１がハイレベルとされる（ソース信号Ｓ２〜Ｓｙについても同様）。その結果、第１列目の駆動用トランジスタＴｒ２のゲートには、それぞれ、順次オン状態とされる選択用トランジスタＴｒ１を介して、ハイレベルのソース信号Ｓ１が順次印加され、駆動用トランジスタＴｒ２が順次オン状態とされる。なお、駆動用トランジスタＴｒ２に印加されたゲート電圧は、次にゲート電圧が書き込まれるまで、補助容量Ｃ１及びＣ２により保持される。
【００５２】
また、全面白描画期間Ｔｗでは、その全期間にわたり、電源電圧ＶＤＤを基準電位として、コモン電圧ＶＣＯＭが消去閾値以上のプラス電圧に設定される。従って、第１列目のＥＤ表示素子１０には、順次オン状態とされる駆動用トランジスタＴｒ２を介して、各々の上部電極１３から下部電極１４に向けた電流が順次流れ始める。なお、上記のプラス電圧は、ＥＤ表示素子１０が破壊されない程度の電圧値に設定しなければならないが、全面白描画（表示パネル２３のリセット）の高速化の観点から言えば、できるだけ高い電圧に設定することが好ましい。
【００５３】
その後、全面白描画期間Ｔｗでは、再び、ゲート信号Ｇ１〜Ｇｘの順次走査が行われるが、先と異なり、ソース信号Ｓ１はローレベルとされる（ソース信号Ｓ２〜Ｓｙについても同様）。従って、第１列目の駆動用トランジスタＴｒ２のゲートには、それぞれ、順次オン状態とされる選択用トランジスタＴｒ１を介して、ローレベルのソース信号Ｓ１が順次印加され、駆動用トランジスタＴｒ２が順次オフ状態とされる。その結果、第１列目のＥＤ表示素子１０に流れていた電流が順次停止される。
【００５４】
このように、全面白描画期間Ｔｗでは、表示パネル２３を形成する全てのＥＤ表示素子１０につき、各々の下部電極１４の電位を基準電位として、上部電極１３に消去閾値以上のプラス電圧が所定期間にわたって印加される。このようなプラス電圧の印加により、上部電極１３上に析出していた金属又は析出金属塩が酸化によりイオン化されて電解液１５中に溶出するため、析出金属又は析出金属塩による黒色が消失する。この状態を観察側から見ると、白色顔料による白色が観察される（図１Ｂを参照）。
【００５５】
なお、図４の駆動シーケンスを採用した場合には、ＥＤ表示素子１０に電流が流れ始めるタイミングを各行毎にずらすことができるので、突入電流を抑えることが可能となる。
【００５６】
表示パネル２３の全面白描画が完了した後、黒描画期間Ｔｂでは、ゲート信号Ｇ１〜Ｇｘの順次走査がｍフレームにわたって繰り返し実行される。
【００５７】
また、黒描画期間Ｔｂでは、ゲート信号Ｇ１〜Ｇｘの順次走査中、各行毎にソース信号Ｓ１のハイレベル／ローレベルが逐次切り換えられる（ソース信号Ｓ２〜Ｓｙも同様）。なお、ひとつのフレームにおいて、ソース信号Ｓ１がハイレベルに設定された行では、そのフレーム期間中、駆動用トランジスタＴｒ２がオン状態に維持されることになる。一方、ひとつのフレームにおいて、ソース信号Ｓ１がローレベルに設定された行では、そのフレーム期間中、駆動用トランジスタＴｒ２がオフ状態に維持されることになる。すなわち、図４の駆動シーケンスによれば、ゲート信号Ｇ１〜Ｇｘの順次走査中、各行毎にソース信号Ｓ１のハイレベル／ローレベルを切り換えることにより、駆動用トランジスタＴｒ２のオン期間を各行毎にフレーム単位で調整することが可能となる。
【００５８】
また、黒描画期間Ｔｂでは、その全期間にわたり、電源電圧ＶＤＤを基準電位として、コモン電圧ＶＣＯＭが書込閾値以上のマイナス電圧に設定される。従って、ひとつのフレームにおいて、ソース信号Ｓ１がハイレベルに設定された行のＥＤ表示素子１０には、そのフレーム期間中、オン状態に維持される駆動用トランジスタＴｒ２を介して、その下部電極１４から上部電極１３に向けた電流が流れる。このようなマイナス電圧の印加により、上部電極１３から電解液１５に電子が注入され、金属又は金属を化学構造中に含む化合物が上部電極１３上に析出する。この状態を観察側から見ると、析出金属又は析出金属塩による黒色が観察される（図１Ａを参照）。なお、上記のマイナス電圧は、ＥＤ表示素子１０が破壊されない程度の電圧値に設定しなければならないが、黒描画の高速化の観点から言えば、できるだけ高い電圧に設定することが好ましい。
【００５９】
図４の例では、第１行目、第３行目、及び、第ｘ行目のＥＤ表示素子１０について、各々の表示色を白色から黒色へと完全に変化させるために、ｍフレームにわたって上記のマイナス電圧がＥＤ表示素子１０に印加されている。この場合には、ゲート信号Ｇ１〜Ｇｘの順次走査中、１フレーム目〜ｍフレーム目の全てにおいて、第１行目、第３行目、及び第ｘ行目が選択されるタイミングでソース信号Ｓ１をハイレベルに設定すればよい。
【００６０】
一方、第２行目のＥＤ表示素子１０については、その表示色を白色のままに維持するために、いずれのフレームにおいても、ＥＤ表示素子１０に何ら電圧が印加されない状態とされている。この場合には、ゲート信号Ｇ１〜Ｇｘの順次走査中、１フレーム目〜ｍフレーム目の全てにおいて、第２行目が選択されるタイミングでソース信号Ｓ１をローレベルに設定すればよい。
【００６１】
また、ＥＤ表示素子１０の階調制御を行う場合には、黒描画期間Ｔｂにおいて、上記マイナス電圧の印加時間（すなわちフレーム数）を制御すればよい。例えば、ひとつのＥＤ表示素子１０について、その表示色を白色と黒色の中間濃度（灰色）に変化させたければ、１フレーム目からｎフレーム目（ただし１＜ｎ＜ｍ）まで、上記のマイナス電圧をＥＤ表示素子１０に印加した後、（ｎ＋１）フレーム目からｍフレーム目までは、ＥＤ表示素子１０に何ら電圧が印加されない状態とすればよい。この場合には、ゲート信号Ｇ１〜Ｇｘの順次走査中、１フレーム目〜ｎフレーム目において、該当行が選択されるタイミングでソース信号Ｓ１をハイレベルに設定し、（ｎ＋１）フレーム目からｍフレーム目において、該当行が選択されるタイミングでソース信号Ｓ１をローレベルに設定すればよい。
【００６２】
このように、表示パネル２３を形成する全てのＥＤ表示素子１０を一度白色状態にした後、任意のＥＤ表示素子１０のみを黒色状態に変化させることで、任意の画像を表示することが可能となる。
【００６３】
＜ＥＤ表示装置のシステム構成＞
図５は、ＥＤ表示装置２０のシステム構成図である。本構成例のＥＤ表示装置２０は、先出のゲートドライバ２１、ソースドライバ２２、及び、表示パネル２３に加えて、表示コントローラ２４と、コモン電圧駆動回路２５と、メモリ２６と、中央演算処理装置２７（以下、ＣＰＵ［Central Processing Unit］２７と呼ぶ）と、操作部２８とを有する。
【００６４】
ゲートドライバ２１は、表示コントローラ２４の指示に応じて、表示パネル２３に出力されるゲート信号Ｇ１〜Ｇｘを生成する。ソースドライバ２２は、表示コントローラ２４の指示に応じて、表示パネル２３に出力されるソース線Ｓ１〜Ｓｙを生成する。なお、図３や図５では、ひとつの表示パネル２３に対して、ゲートドライバ２１とソースドライバ２２を１つずつ設けた構成が描写されているが、本発明の構成はこれに限定されるものではなく、図６に示すように、ひとつの表示パネル２３に対して、Ｘ個（ただしＸ≧２）のゲートドライバ２１−１〜２１−Ｘと、Ｙ個（ただしＹ≧２）のソースドライバ２２−１〜２２−Ｙを設けた構成としても構わない。特に、図６の構成を採用すれば、表示パネル２３の大画面化や高精細化に伴い、表示パネル２３を形成する画素数が増大した場合でも、ゲートドライバやソースドライバの設置数Ｘ、Ｙを増やすことで柔軟に対応することができる。
【００６５】
表示パネル２３は、ＥＤ表示素子１０を用いた複数のセル２３１をマトリクス状に有しており、ゲートドライバ２１から入力されるゲート信号Ｇ１〜Ｇｘ、ソースドライバ２２から入力されるソース信号Ｓ１〜Ｓｙ、及び、コモン電圧駆動回路２５から入力されるコモン電圧ＶＣＯＭに応じて任意の画像を表示する（図３を参照）。なお、先にも述べた通り、表示パネル２３が白黒パネルである場合には、画像データの１ピクセルとして、各々のセル２３１を制御すればよい。一方、表示パネル２３がカラーパネルである場合には、画像データの１ピクセルを形成するサブピクセル（例えば、ＲＧＢＷサブピクセル）の一つとして、各々のセル２３１を制御すればよい（図８を参照）。
【００６６】
表示コントローラ２４は、ゲートドライバ２１、ソースドライバ２２、及び、コモン電圧駆動回路２５を制御することにより、表示パネル２３に任意の画像を出力させる。
【００６７】
コモン電圧駆動回路２５は、表示コントローラ２４の制御に基づいて、表示パネル２３に出力するコモン電圧ＶＣＯＭを生成する。
【００６８】
メモリ２６は、表示パネル２３に表示すべき画像の情報（画像データ）を記憶する。なお、上記の画像データは、ＣＰＵ２７を介してメモリ２６に記憶される。
【００６９】
ＣＰＵ２７は、ＥＤ表示装置２０の動作を統括的に制御する主体であり、例えば、操作部２８で受け付けられたユーザの入力操作に応じて、表示コントローラ２４とメモリ２６を制御する。
【００７０】
操作部２８は、ユーザの入力操作を受け付けて、その内容をＣＰＵ２７に伝達するユーザインタフェイスである。
【００７１】
＜ＥＤ表示装置の外観＞
図７は、ＥＤ表示装置２０の外観図である。ＥＤ表示装置２０の本体には、表示パネル２３のほか、操作部２８として、現ページの表示画像を消去して次ページの表示画像を描写するためのページ送りボタン２８ａと、現ページの表示画像を消去して前ページの表示画像を描写するためのページ戻しボタン２８ｂと、が備えられている。また、図７には描写されていないが、ＥＤ表示装置２０には、電源スイッチ、外部情報機器（例えばパーソナルコンピュータ）との接続を確立するための各種インタフェイス（ＵＳＢ［Universal Serial Bus］インタフェイスなど）、及び、メモリカードなどを着脱するためのメモリスロットなどが具備されている。
【００７２】
＜表示パネルのカラー化＞
上記構成から成るＥＤ表示装置２０では、表示パネル２３のカラー化に際して、カラーフィルタの設置によって低下する外光の反射率を補うための手段として、カラーフィルタを設けない白色（Ｗ）のサブピクセルを用意しておき、画像データの１ピクセルを４つのサブピクセル（ＲＧＢＷ）で形成する構成が採用されている。従って、ＥＤ表示装置２０では、入力される画像データ（ＲＧＢデータ）に応じて、ＲＧＢサブピクセルの出力だけではなく、Ｗサブピクセルの出力も制御する必要があるため、入力される画像データ（ＲＧＢデータ）をパネル駆動用の画像データ（ＲＧＢＷデータ）に変換して出力する必要がある（先出の図１７を参照）。
【００７３】
また、本構成例のＥＤ表示装置２０では、先出の図２０で示したパネルレイアウト（ＲＧＢサブピクセルに対して各々の周辺領域を覆わないようにカラーフィルタＣＦを設けた構成）が採用されている。従って、カラーフィルタＣＦの解像度より表示素子の解像度が低い場合であっても、複雑なカラーマッチング処理を要することなく、最終的な出力画像の色ずれを防止することが可能である。
【００７４】
さらに、本構成例のＥＤ表示装置２０では、カラーフィルタＣＦの解像度よりも表示素子の解像度が低い場合に発生する表示パネル２３の反射率低下を解消するために、ＲＧＢデータからＲＧＢＷデータへの色変換処理に際して、ひとつのサブピクセルを駆動したときの隣接サブピクセルへの影響を考慮し、表示パネル２３の反射率を保つように出力Ｗ値（Ｗサブピクセルに対して出力される階調制御値）を適切に算出する構成が採用されている。
【００７５】
＜色変換処理装置＞
図９は、色変換処理装置の一構成例を示すブロック図である。本構成例の色変換処理装置３０は、画像データ入力部３１と、出力データ作成部３２と、画像データ出力部３３とを有する。なお、色変換処理装置３０は、ＣＰＵ２７または表示コントローラ２４におけるソフトウェア処理によって実現してもよいし、或いは、別途ハードウェアを用いて実現してもよい。なお、上記のソフトウェア処理によって実現する場合には、ＣＰＵ２７または表示コントローラ２４に読み込まれて実行され、これらのハードウェア資源を色変換処理装置３０として機能させる色変換処理プログラムをメモリ２６に格納しておけばよい。なお、以下では、ＣＰＵ２７におけるソフトウェア処理により色変換処理装置３０が実現されているものとして説明する。
【００７６】
画像データ入力部３１は、メモリ２６（図５を参照）から入力画像データを読み出し、これに含まれる入力ＲＧＢ値Ｓ１を出力データ作成部３２に出力する。
【００７７】
出力データ作成部３２は、入力ＲＧＢ値Ｓ１から出力ＲＧＢ値Ｓ２及び出力Ｗ値Ｓ５を算出し、これらを画像データ出力部３３に出力する信号処理ブロックである。なお、出力データ作成部３２の構成及び動作については、後ほど詳細に説明する。
【００７８】
画像データ出力部３３は、出力ＲＧＢ値Ｓ２及び出力Ｗ値Ｓ５を有する出力画像データ（ＲＧＢＷデータ）を生成し、これを表示コントローラ２４（図５を参照）に出力する。
【００７９】
＜出力データ作成部＞
出力データ作成部３２は、出力ＲＧＢ値算出部３２１と、基本Ｗ値算出部３２２と、Ｗ補正値算出部３２３と、補正テーブル格納部３２４と、出力Ｗ値算出部３２５を有する。
【００８０】
出力ＲＧＢ値算出部３２１は、入力ＲＧＢ値Ｓ１から出力ＲＧＢ値Ｓ２を算出する。
【００８１】
基本Ｗ値算出部３２２は、入力ＲＧＢ値Ｓ１から基本Ｗ値Ｓ３を算出する。なお、基本Ｗ値Ｓ３は、出力ＲＧＢ値Ｓ２から算出しても構わない。
【００８２】
Ｗ補正値算出部３２３は、出力ＲＧＢ値Ｓ２と補正テーブルＴＢＬからＷ補正値Ｓ４を算出（取得）する。
【００８３】
補正テーブル格納部３２４は、Ｗ補正値算出部３２３で参照される補正テーブルＴＢＬを不揮発的に格納する。
【００８４】
出力Ｗ値算出部３２５は、基本Ｗ値Ｓ３とＷ補正値Ｓ４から出力Ｗ値Ｓ５を算出する。
【００８５】
図１０は、出力データ作成部３２で実施される色変換処理の一例を示すフローチャートである。色変換処理のフローが開始されると、ステップＳ１１では、画像データ入力部３１からピクセル毎の入力ＲＧＢ値Ｓ１が読み出される。
【００８６】
ステップＳ１２では、入力ＲＧＢ値Ｓ１から出力ＲＧＢ値Ｓ２が算出される。なお、出力ＲＧＢ値Ｓ２としては、入力ＲＧＢ値Ｓ１そのまま出力してもよいし、表示パネル２３の特性に合わせて出力ＲＧＢ値Ｓ２を任意に補正してもよい。
【００８７】
ステップＳ１３では、入力ＲＧＢ値Ｓ１（または出力ＲＧＢ値Ｓ２）から基本Ｗ値Ｓ３が算出される。この算出手法については、グレイスケール化と同様に、入力ＲＧＢ値Ｓ１の平均値をとる方法や、ＮＴＳＣ系加重平均法などの周知技術を適用すればよい。
【００８８】
ステップＳ１４では、出力ＲＧＢ値Ｓ２に基づいて補正テーブルＴＢＬからＷ補正値Ｓ４が読み出される。なお、補正テーブルＴＢＬやＷ補正値Ｓ４の内容については、後ほど詳細に説明する。
【００８９】
ステップＳ１５では、基本Ｗ値Ｓ３とＷ補正値Ｓ４から出力Ｗ値Ｓ５が算出される。なお、各パラメータの値が明るさ（反射率）に比例するとした場合には、下記の（１）式に基づいて、出力Ｗ値Ｓ５が算出される。
Ｓ５＝Ｓ３＋Ｓ４  …  （１）
【００９０】
ステップＳ１６では、全ての入力画素の変換を終了したか否かの判定が行われる。ここで、イエス判定が下された場合には、上記一連のフローが終了される。一方、ノー判定が下された場合には、フローがステップＳ１１に戻され、全ての入力画素の変換を終了するまで、上記一連のフローが繰り返される。
【００９１】
＜補正テーブル＞
図１１は、補正テーブルＴＢＬの内容を説明するための一覧表である。本図に示すように、補正テーブルＴＢＬでは、出力ＲＧＢ値Ｓ２として取り得る全ての組み合わせに対してＷ補正値Ｓ４が一対一で関連付けられている。従って、出力ＲＧＢ値Ｓ２が決定されれば、Ｗ補正値Ｓ４も一義的に決定される。
【００９２】
＜Ｗ補正値＞
図１２は、Ｗ補正値Ｓ４の内容を説明するための模式図である。先にも述べた通り、表示パネル２３に設けられたカラーフィルタの解像度よりも表示素子の解像度が低い場合、ひとつのサブピクセルを駆動した際にこれと隣接するサブピクセルの反射率にも影響が及んでしまい、表示パネル２３全体として意図した反射率を得ることができなくなる。
【００９３】
例えば、ＲＧＢサブピクセルを出力ＲＧＢ値Ｓ２に基づいて各々駆動した場合、Ｒサブピクセルの周辺領域（赤色カラーフィルタＣＦ（Ｒ）で覆われていない白黒表示領域）の反射率ＲＥＦ（Ｒ）’は、本来得られるべき反射率ＲＥＦ（Ｒ）から隣接サブピクセル駆動の影響による損失反射率ＬＯＳＳ（Ｒ）を差し引いた値となる。Ｇサブピクセルの周辺領域の反射率ＲＥＦ（Ｇ）’、Ｂサブピクセルの周辺領域の反射率ＲＥＦ（Ｂ）’及び、Ｗサブピクセルの反射率ＲＥＦ（Ｗ）’についても同様である。
【００９４】
そこで、上記の損失反射率ＬＯＳＳ（Ｒ）、ＬＯＳＳ（Ｇ）、ＬＯＳＳ（Ｂ）、及び、ＬＯＳＳ（Ｗ）を補填し得るだけのＷ補正値Ｓ４（すなわち、Ｗサブピクセルのみによって、ＬＯＳＳ（Ｒ）＋ＬＯＳＳ（Ｇ）＋ＬＯＳＳ（Ｂ）＋ＬＯＳＳ（Ｗ）に相当する反射率を得るための出力Ｗ値）を予め設定しておき、これを基本Ｗ値Ｓ３に加えてやることにより、表示パネル２３全体の反射率を維持することが可能となる。
【００９５】
なお、上記の損失反射率ＬＯＳＳ（Ｒ）、ＬＯＳＳ（Ｇ）、ＬＯＳＳ（Ｂ）、及び、ＬＯＳＳ（Ｗ）は、出力ＲＧＢ値Ｓ２に応じて逐一変化する。そのため、出力ＲＧＢ値Ｓ２毎の補正Ｗ値Ｓ４を得るためには、Ｗサブピクセルを非駆動状態（黒色描画のためのパルス電圧が印加されていない状態）とした上で、ＲＧＢサブピクセルを駆動させたときにカラーフィルタＣＦの領域外で得られる実際の反射率（ＲＥＦ（Ｒ）’、ＲＥＦ（Ｇ）’、ＲＥＦ（Ｂ）’、及び、ＲＥＦ（Ｗ）’）を、出力ＲＧＢ値Ｓ２の全ての組み合わせで逐一測定または算出しておき、これらの値を本来得られるべき反射率（ＲＥＦ（Ｒ）、ＲＥＦ（Ｇ）、ＲＥＦ（Ｂ）、及び、ＲＥＦ（Ｗ））から各々差し引くことにより、出力ＲＧＢ値Ｓ２の全ての組み合わせについて、損失反射率ＬＯＳＳ（Ｒ）、ＬＯＳＳ（Ｇ）、ＬＯＳＳ（Ｂ）、及び、ＬＯＳＳ（Ｗ）を求めておく必要がある。
【００９６】
上記で説明したように、本実施形態の色変換処理装置３０によれば、ＥＤ表示装置２０用のカラー画像データをＲＧＢ構成からＲＧＢＷ構成に変換するに際して、ひとつのサブピクセル駆動時に生じる隣接サブピクセルへの影響分（意図しない反射率低下分）を補填する形で出力Ｗ値Ｓ５を算出することにより、表示パネル２３全体として所望の反射率を得ることが可能となる。また、出力Ｗ値Ｓ５を算出する際に参照される補正テーブルＴＢＬにカラーマッチング要素が含まれていないので、より単純に目的を達成することができる。
【００９７】
＜画像データ取得処理＞
先述の色変換処理装置３０では、ＲＧＢ値からＲＧＢＷ値の算出が行われるため、ＥＤ表示装置２０で取り扱う入力画像データとしては、ＲＧＢ値をデータとして持つ画像フォーマットが適している。ビットマップ形式（ＢＭＰ形式）がその一例である。
【００９８】
図１３は、ＥＤ表示装置２０における画像データ取得処理の一例を示すフローチャートである。画像データ取得処理のフローが開始されると、ステップＳ２１では、外部情報機器（例えばパーソナルコンピュータ）で画像データがＢＭＰ形式に変換される。
【００９９】
ステップＳ２２では、外部情報機器とＥＤ表示装置２０との接続が確立される。
【０１００】
ステップＳ２３では、ＥＤ表示装置２０のメモリ２６上にＢＭＰ形式の画像データが保存される。
【０１０１】
なお、先述の色変換処理については、ステップＳ２２とステップＳ２３との間で実施してもよいし、ステップＳ２３以降に実施してもよい。
【０１０２】
また、図１３では、外部情報機器で画像データがＢＭＰ形式に変換される構成を例示したが、ＢＭＰ形式への変換処理については、ＥＤ表示装置２０側で実施してもよい。
【０１０３】
＜表示パネルの変形レイアウト＞
図１４及び図１５は、それぞれ、表示パネル２３の第１変形レイアウト及び第２変形レイアウトを示す模式図である。両図に示すように、表示パネル２３のレイアウトについては、ＲＧＢＷサブピクセルの周囲にＮサブピクセル（駆動対象とされていない常時真っ白なサブピクセル）を設けた構成としてもよいし、或いは、ＲＧＢＷサブピクセルの周囲にさらにＷサブピクセルを設けた構成としてもよい。このような構成とすることにより、表示パネル２３の全体的な反射率を高めることが可能となる。
【０１０４】
＜色変換処理装置の変形例＞
図１６は、色変換処理装置３０の一変形例を示すブロック図である。本変形例の色変換処理装置３０は、補正テーブル格納部３２４に複数の補正テーブルＴＢＬ１〜ＴＢＬｚが格納された構成とされており、かつ、補正テーブル格納部３２４から各々読み出される補正テーブルＴＢＬ１〜ＴＢＬｚのいずれか一を選択し、ここで選択された補正テーブルＴＢＬをＷ補正値算出部３２３に出力するための補正テーブル選択部３２６が別途追加されている。このような構成とすることにより、ＥＤ表示装置２０の周囲照度や電池残量、或いは、ユーザ指示に応じて、ＥＤ表示装置２０の使用状況に応じたＷ補正値Ｓ４の算出を行うことが可能となる。
【０１０５】
具体例を述べると、ＥＤ表示装置２０の周囲が暗い場合には、表示パネル２３の反射率を全体的に高めに設定するための補正テーブルを選択すればよい。また、ＥＤ表示装置２０の電池残量が少ない場合には、表示パネル２３の駆動電力を低めに設定するための補正テーブルを選択すればよい。
【０１０６】
＜その他の変形例＞
上記の実施形態では、本発明の適用対象として、ＥＤ表示装置に搭載される色変換処理装置を例示して説明を行ったが、本発明の適用対象はこれに限定されるものではなく、本発明は、カラーフィルタを備えた表示パネルの滲み（色ずれ）や光量不足（反射率や輝度の意図しない低下）が課題となる表示装置全般に広く適用することが可能である。
【０１０７】
このように、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１０８】
本発明は、電子ペーパー等の電子情報表示装置をカラー化する上で有用な技術である。
【符号の説明】
【０１０９】
１０    ＥＤ表示素子
１１    上部基板
１２    下部基板
１３    上部電極
１４    下部電極
１５    電解液
２０    ＥＤ表示装置
２１、２１−１〜２１−Ｘ    ゲートドライバ
２２、２２−１〜２２−Ｙ    ソースドライバ
２３    表示パネル
２３１    セル
２３２    電源電圧線
２３３    コモン電圧線
２４    表示コントローラ
２５    コモン電圧駆動回路
２６    メモリ
２７    中央演算処理装置（ＣＰＵ）
２８    操作部
２８ａ    ページ送りボタン
２８ｂ    ページ戻しボタン
３０    色変換処理装置
３１    画像データ入力部
３２    出力データ作成部
３２１    出力ＲＧＢ値算出部
３２２    基本Ｗ値算出部
３２３    Ｗ補正値算出部
３２４    補正テーブル格納部
３２５    出力Ｗ値算出部
３２６    補正テーブル選択部
３３    画像データ出力部
Ｇ１〜Ｇｙ    ゲート線（ゲート信号）
Ｓ１〜Ｓｙ    ソース線（ソース信号）
Ｔｒ１    選択用トランジスタ
Ｔｒ２    駆動用トランジスタ
Ｃ１、Ｃ２    補助容量
【図１Ａ】
2011186201.tif 000003
【図１Ｂ】
2011186201.tif 000004
【図２】
2011186201.tif 000005
【図３】
2011186201.tif 000006
【図５】
2011186201.tif 000007
【図６】
2011186201.tif 000008
【図７】
2011186201.tif 000009
【図８】
2011186201.tif 000010
【図９】
2011186201.tif 000011
【図１０】
2011186201.tif 000012
【図１１】
2011186201.tif 000013
【図１３】
2011186201.tif 000014
【図１４】
2011186201.tif 000015
【図１５】
2011186201.tif 000016
【図１６】
2011186201.tif 000017
【図１７】
2011186201.tif 000018
【図１８】
2011186201.tif 000019
【図１９】
2011186201.tif 000020
【図２０】
2011186201.tif 000021
【図２１】
2011186201.tif 000022
【図４】
2011186201.tif 000023
【図１２】
2011186201.tif 000024